(57)【要約】  【課題】  原稿の一度の搬送でこの原稿の表裏両面の画像を読み取る両面自動読み取りにおいて、画像のむらを低減する。  【解決手段】  画像読み取り装置は、原稿が搬送される原稿搬送路の一方の側から照明ランプ７４を用いて原稿に光を照射し、原稿表面からの反射光をＣＣＤイメージセンサにて受光する一方、原稿搬送路の他方の側からＬＥＤ５２を用いて原稿に光を照射し、原稿裏面からの反射光をラインセンサ５４にて受光する。ここで、ラインセンサ５４に入力された画像データは信号処理部で補正され、照明ランプ７４から回り込む光による影響が取り除かれる。具体的には、原稿の後端がＣＣＤイメージセンサによる読み取り位置を通過する前と後とで、Ｃ集積回路におけるＬ*変換部のＬＵＴを切り換え、画像データの基準となる濃度が略一定となるように調整する。  【選択図】  図１１
2005110174.tif 000002
【特許請求の範囲】
【請求項１】
原稿束から原稿を給紙する給紙部と、
前記給紙部により給紙された前記原稿が搬送される搬送路と、
前記搬送路の一方の側から前記原稿の第１面を照射する第１の光源と当該原稿の第１面からの反射光を受光する第１のセンサとを備え、当該原稿の第１面の画像データを読み取る第１の読み取り部と、
前記搬送路の他方の側から前記原稿の第２面を照射する第２の光源と当該原稿の第２面からの反射光を受光する第２のセンサとを備え、前記第１の読み取り部よりも前記原稿の搬送方向下流側で当該原稿の第２面の画像データを読み取る第２の読み取り部と、
前記第２の読み取り部にて読み取られた前記原稿の第２面の画像データについて、当該原稿の搬送方向先端側と搬送方向後端側とで、異なる補正値を用いて画像データの補正を行う画像補正部と
を含む画像読み取り装置。
【請求項２】
前記画像補正部は、前記原稿の搬送方向後端位置と前記第１のセンサによる読み取り位置および前記第２のセンサによる読み取り位置の間の距離とに基づいて、前記補正値を変更することを特徴とする請求項１記載の画像読み取り装置。
【請求項３】
前記画像補正部は、前記第１の読み取り部にて読み取られた前記原稿の第１面の画像データについて、当該原稿の搬送方向先端側と搬送方向下流側とで、異なる補正値を用いて補正を行うことを特徴とする請求項１記載の画像読み取り装置。
【請求項４】
前記画像補正部は、前記原稿の搬送方向先端位置と前記第１のセンサによる読み取り位置および前記第２のセンサによる読み取り位置の間の距離とに基づいて、前記補正値を変更することを特徴とする請求項３記載の画像読み取り装置。
【請求項５】
原稿束から原稿を給紙する給紙部と、
前記給紙部により給紙された前記原稿が搬送される搬送路と、
前記搬送路の一方の側から前記原稿の第１面を照射する第１の光源と当該原稿の第１面からの反射光を受光する第１のセンサとを備え、当該原稿の第１面の画像データを読み取る第１の読み取り部と、
前記搬送路の他方の側から前記原稿の第２面を照射する第２の光源と当該原稿の第２面からの反射光を受光する第２のセンサとを備え、前記第１の読み取り部よりも前記原稿の搬送方向下流側で当該原稿の第２面の画像データを読み取る第２の読み取り部と、
前記原稿の搬送方向位置に基づいて、前記第１のセンサおよび/または前記第２のセンサにて読み取られた画像データを補正する画像補正部と
を含む画像読み取り装置。
【請求項６】
前記画像補正部は、前記原稿の搬送方向後端が前記第１のセンサによる読み取り位置を通過した時点から前記第２のセンサで読み取られた当該原稿の第２面の画像データの補正を開始することを特徴とする請求項５記載の画像読み取り装置。
【請求項７】
前記画像補正部は、前記原稿の搬送方向先端が前記第１のセンサによる読み取り位置を通過した時点から当該第１のセンサで読み取られた当該原稿の第１面の画像データの補正を開始することを特徴とする請求項５記載の画像読み取り装置。
【請求項８】
前記画像補正部は、前記原稿の搬送方向先端が前記第２のセンサによる読み取り位置に到達した時点で前記第１のセンサで読み取られた当該原稿の第１面の画像データの補正を終了することを特徴とする請求項７記載の画像読み取り装置。
【請求項９】
前記画像補正部は、前記画像データの濃度を補正することを特徴とする請求項５記載の画像読み取り装置。
【請求項１０】
原稿束から原稿を給紙する給紙部と、
前記給紙部により給紙された前記原稿が搬送される搬送路と、
前記搬送路の一方の側から前記原稿の第１面を照射する第１の光源と当該原稿の第１面からの反射光を受光する第１のセンサとを備え、当該原稿の第１面の画像データを読み取る第１の読み取り部と、
前記搬送路の他方の側から前記原稿の第２面を照射する第２の光源と当該原稿の第２面からの反射光を受光する第２のセンサとを備え、当該原稿の第２面の画像データを読み取る第２の読み取り部と、
前記第１の光源から前記第２のセンサへと回り込む光量を見込んで、前記第２のセンサにて読み取られた前記原稿の第２面の画像データを補正する画像補正部と
を含む画像読み取り装置。
【請求項１１】
前記第１の光源および前記第２の光源は、前記原稿の搬送方向先端が前記第１のセンサまたは第２のセンサによる読み取り位置に到達する前から当該原稿の搬送方向後端が当該第２のセンサまたは当該第１のセンサによる読み取り位置を通過するまでの間点灯されることを特徴とする請求項１０記載の画像読み取り装置。
【請求項１２】
前記第１の読み取り部を構成する前記第１の光源は照明ランプ、前記第１のセンサは縮小光学系を用いたイメージセンサであり、前記第２の読み取り部を構成する前記第２の光源はＬＥＤ(Light Emitting Diode)、前記第２のセンサは密着光学系を用いたイメージセンサであることを特徴とする請求項１０記載の画像読み取り装置。
【請求項１３】
前記画像補正部は、前記第２の光源から前記第１のセンサへと回り込む光量を見込んで、前記第１のセンサにて読み取られた前記原稿の第１面のデータを補正することを特徴とする請求項１０記載の画像読み取り装置。
【発明の詳細な説明】
【技術分野】
【０００１】
本発明は、原稿上の画像を読み取る画像読み取り装置に係り、より詳しくは、原稿の一度の搬送でこの原稿における表裏両面の画像を読み取り可能な画像読み取り装置に関する。
【背景技術】
【０００２】
従来、複写機やファクシミリ等の読み取り装置、コンピュータ入力用のスキャナ等として、原稿における表裏両面の画像情報をユーザの介在なしに自動的に読み取る画像読み取り装置(自動両面読み取り装置)が用いられている。これらの自動両面読み取り装置としては、原稿反転部にて原稿を表裏反転させて読み取る方法が最も広く採用されている。表裏反転させて画像情報を入力する際には、特定の原稿読み取り部で表面の画像を読み取った後、この原稿を表裏反転させて再びこの特定の原稿読み取り部に搬送し、裏面の画像を読み取る。しかし、この表裏反転による自動両面読み取りでは、一旦、原稿を排出した後に反転させて再度原稿読み取り部に搬送する必要があることから、両面読み取りに際して多くの時間がかかり、両面読み取りの生産性が劣ってしまう。そこで、原稿を搬送する原稿パスの表裏両面に２つの画像読み取りユニットを設け、１回の原稿搬送にて原稿の表裏両面を自動的に読み取る、所謂両面同時読み取り技術が検討されている。
【０００３】
このような両面同時読み取りを採用した従来技術として、例えば、原稿が搬送される原稿パスに対向して原稿の一方の面(表面)を読み取る表面画像読み取りユニットを配置すると共に、この表面画像読み取り装置からみて原稿搬送方向下流側に、原稿パスに対向して原稿の他方の面(裏面)を読み取る裏面画像読み取りユニットを配置する技術が存在する(例えば、特許文献１参照。)。ここで、表面読み取りユニットおよび裏面読み取りユニットとしては、原稿の搬送方向に直交する方向に延設される光源と、この光源に隣接して平行に配設される光学センサとを備えたものが用いられている。そして、各読み取りユニットでは、光源を用いて原稿の表面あるいは裏面に光を照射し、照射された原稿から反射する反射光を光学センサにて受光することで、原稿の表面あるいは裏面の画像を読み取っている。
【０００４】
【特許文献１】特許第２６２２０３９号報(第１−２頁、図５)
【発明の開示】
【発明が解決しようとする課題】
【０００５】
ところで、上記特許文献１に記載の自動両面読み取り装置では、原稿の後端が表面画像読み取りユニットとの対向部を抜けると、表面画像読み取りユニットの光源から照射された光を遮るものがなくなる。このとき、裏面画像読み取りユニットに設けられた光学センサでは、裏面画像読み取りユニットの光源から照射され原稿から反射された反射光の他、表面画像読み取りユニットの光源から回り込んだ光も受光してしまうことになってしまう。すると、原稿の裏面画像の後端部側で受光量が変化し、画像データに影響を及ぼしてしまうことになる。なお、このような不具合を解決する手法の一つとして、例えば表面画像読み取りユニットと裏面画像読み取りユニットとを原稿搬送方向に十分に離して配置することが考えられるが、その分、自動両面読み取り装置が大型化してしまうという問題がある。
【０００６】
本発明は、かかる技術的課題を解決するためになされたものであって、その目的とするところは、原稿の一度の搬送でこの原稿の表裏両面の画像を読み取る両面自動読み取りにおいて、画像のむらを低減することにある。
【課題を解決するための手段】
【０００７】
かかる目的のもと、本発明が適用される画像読み取り装置は、原稿束から原稿を給紙する給紙部と、給紙部により給紙された原稿が搬送される搬送路と、搬送路の一方の側から原稿の第１面を照射する第１の光源と原稿の第１面からの反射光を受光する第１のセンサとを備え、原稿の第１面の画像データを読み取る第１の読み取り部と、搬送路の他方の側から原稿の第２面を照射する第２の光源と原稿の第２面からの反射光を受光する第２のセンサとを備え、第１の読み取り部よりも原稿の搬送方向下流側で原稿の第２面の画像データを読み取る第２の読み取り部と、第２の読み取り部にて読み取られた原稿の第２面の画像データについて、原稿の搬送方向先端側と搬送方向後端側とで、異なる補正値を用いて画像データの補正を行う画像補正部とを含んでいる。
【０００８】
ここで、画像補正部は、原稿の搬送方向後端位置と第１のセンサによる読み取り位置および第２のセンサによる読み取り位置の間の距離とに基づいて、補正値を変更することを特徴とすることができる。また、画像補正部は、第１の読み取り部にて読み取られた原稿の第１面の画像データについて、原稿の搬送方向先端側と搬送方向下流側とで、異なる補正値を用いて補正を行うことを特徴とすることができる。さらに、画像補正部は、原稿の搬送方向先端位置と第１のセンサによる読み取り位置および第２のセンサによる読み取り位置の間の距離とに基づいて、補正値を変更することを特徴とすることができる。
【０００９】
また、他の観点から捉えると、本発明の画像読み取り装置は、原稿束から原稿を給紙する給紙部と、給紙部により給紙された原稿が搬送される搬送路と、搬送路の一方の側から原稿の第１面を照射する第１の光源と原稿の第１面からの反射光を受光する第１のセンサとを備え、原稿の第１面の画像データを読み取る第１の読み取り部と、搬送路の他方の側から原稿の第２面を照射する第２の光源と原稿の第２面からの反射光を受光する第２のセンサとを備え、第１の読み取り部よりも原稿の搬送方向下流側で原稿の第２面の画像データを読み取る第２の読み取り部と、原稿の搬送方向位置に基づいて、第１のセンサおよび/または第２のセンサにて読み取られた画像データを補正する画像補正部とを含んでいる。
【００１０】
ここで、画像補正部は、原稿の搬送方向後端が第１のセンサによる読み取り位置を通過した時点から第２のセンサで読み取られた原稿の第２面の画像データの補正を開始することを特徴とすることができる。また、画像補正部は、原稿の搬送方向先端が第１のセンサによる読み取り位置を通過した時点から第１のセンサで読み取られた原稿の第１面の画像データの補正を開始することを特徴とすることができる。さらに、画像補正部は、原稿の搬送方向先端が第２のセンサによる読み取り位置に到達した時点で第１のセンサで読み取られた原稿の第１面の画像データの補正を終了することを特徴とすることができる。そして、画像補正部は、画像データの濃度を補正することを特徴とすることができる。
【００１１】
さらに他の観点から捉えると、本発明の画像読み取り装置は、原稿束から原稿を給紙する給紙部と、給紙部により給紙された原稿が搬送される搬送路と、搬送路の一方の側から原稿の第１面を照射する第１の光源と原稿の第１面からの反射光を受光する第１のセンサとを備え、原稿の第１面の画像データを読み取る第１の読み取り部と、搬送路の他方の側から原稿の第２面を照射する第２の光源と原稿の第２面からの反射光を受光する第２のセンサとを備え、原稿の第２面の画像データを読み取る第２の読み取り部と、第１の光源から第２のセンサへと回り込む光量を見込んで、第２のセンサにて読み取られた原稿の第２面の画像データを補正する画像補正部とを含んでいる。
【００１２】
ここで、第１の光源および第２の光源は、原稿の搬送方向先端が第１のセンサまたは第２のセンサによる読み取り位置に到達する前から原稿の搬送方向後端が第２のセンサまたは第１のセンサによる読み取り位置を通過するまでの間点灯されることを特徴とすることができる。また、第１の読み取り部を構成する第１の光源は照明ランプ、第１のセンサは縮小光学系を用いたイメージセンサであり、第２の読み取り部を構成する第２の光源はＬＥＤ(Light Emitting Diode)、第２のセンサは密着光学系を用いたイメージセンサであることを特徴とすることができる。さらに、画像補正部は、第２の光源から第１のセンサへと回り込む光量を見込んで、第１のセンサにて読み取られた原稿の第１面のデータを補正することを特徴とすることができる。
【発明の効果】
【００１３】
本発明によれば、原稿の一度の搬送でこの原稿の表裏両面の画像を読み取る両面自動読み取りにおいて、画像のむらを低減することができる。
【発明を実施するための最良の形態】
【００１４】
以下、添付図面を参照して、本発明を実施するための最良の形態(以下、実施の形態という)について詳細に説明する。
図１は本実施の形態が適用される画像読み取り装置を示した図である。この画像読み取り装置は、積載された原稿束から原稿を順次、搬送する原稿送り装置１０、スキャンによって画像を読み込むスキャナ装置７０、および読み込まれた画像信号を処理する処理装置８０に大別される。
【００１５】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により上昇された原稿トレイ１１の原稿をさらに下流側まで搬送するフィードロール１４、ナジャーロール１３により供給される原稿を一枚ずつに捌くリタードロール１５を備えている。最初に原稿が搬送される第１搬送路３１には、一枚ずつに捌かれた原稿を下流側のロールまで搬送するテイクアウェイロール１６、原稿をさらに下流側のロールまで搬送すると共にループ形成を行うプレレジロール１７、一旦停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿をさらに下流に搬送するアウトロール２０を備えている。また、第１搬送路３１には、搬送される原稿のループ状態に応じて支点を中心に回動するバッフル４１を備えている。さらに、プラテンロール１９とアウトロール２０との間には、本実施の形態における第２の読み取り部としてのＣＩＳ(Contact Image Sensor)５０が設けられている。
【００１６】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿をスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１７】
ナジャーロール１３は、待機時にはリフトアップされて待避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを形成する。レジロール１８では、ループ形成時に、レジロール１８に噛み込んだ原稿先端をニップ位置まで戻している。このループが形成されると、バッフル４１は支点を中心として開き、原稿に形成されるループを妨げることのないように機能している。また、テイクアウェイロール１６およびプレレジロール１７は、読み込み中における原稿のループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって原稿が第２プラテンガラス７２Ｂ(後述)に押圧されて、後述するＣＣＤイメージセンサによって下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿を第４搬送路(インバータパス)３４へ導いている。その後、このインバータピンチロール２３はニップされ、インバータロール２２によってインバートする原稿をプレレジロール１７へと導き、また、反転排出する原稿を第６搬送路３６の第２排出ロール２４まで搬送している。
【００１９】
第１の読み取り部としてのスキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を有する第２プラテンガラス７２Ｂを備えている。
【００２０】
また、スキャナ装置７０は、第２プラテンガラス７２Ｂの下に静止し、および第１プラテンガラス７２Ａの全体にわたってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する第１の光源としての照明ランプ７４、原稿から得られた反射光を受光する第１ミラー７６Ａが備えられている。さらに、ハーフレートキャリッジ７５には、第１ミラー７６Ａから得られた光を結像部へ提供する第２ミラー７６Ｂおよび第３ミラー７６Ｃが備えられている。さらにまた、スキャナ装置７０は、第３ミラー７６Ｃから得られた光学像を光学的に縮小する結像用レンズ７７、結像用レンズ７７によって結像された光学像を光電変換する第１のセンサとしてのＣＣＤ(Charge Coupled Device)イメージセンサ７８、ＣＣＤイメージセンサ７８が装着される駆動基板７９を備え、ＣＣＤイメージセンサ７８によって得られた画像信号が駆動基板７９を介して処理装置８０に送られる。つまり、スキャナ装置７０では、所謂縮小光学系を用いてイメージセンサとしてのＣＣＤイメージセンサ７８に像を結像させている。
【００２１】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)にフルレートキャリッジ７３を移動させ、原稿の次のラインを読み取る。これを原稿全体に亘って実行することで、１ページの原稿読み取りを完了させる。
【００２２】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。すなわち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、この原稿が第２プラテンガラス７２Ｂの読み取り位置を通過することによって、副走査方向に亘って１ページの原稿読み取りを完了させる。
【００２３】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味)に第２の読み取り部であるＣＩＳ５０によって、原稿の第２面の読み取りを行うことが可能である。すなわち、ＣＣＤイメージセンサ７８とＣＩＳ５０とを用いて、搬送路への原稿の一度の搬送で、この原稿における表裏両面の画像を同時に読み取ることを可能としている。
【００２４】
図２は、ＣＩＳ５０を用いた読み取り構造を説明するための図である。図２に示すように、ＣＩＳ５０は、プラテンロール１９とアウトロール２０との間に設けられる。原稿の片面(第１面、表面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、他の片面(第２面、裏面)の画像が読み込まれる。このＣＩＳ５０は、搬送路に対向配置されるガラス５１と、このガラス５１を透過して原稿の第２面に光を照射する第２の光源としてのＬＥＤ(Light Emitting Diode)５２と、ＬＥＤ５２からの反射光を集光するレンズアレイであるセルフォックレンズ５３と、このセルフォックレンズ５３により集光された光を読み取る第２のセンサとしてのラインセンサ５４とを備えている。ラインセンサ５４としては、ＣＣＤやＣＭＯＳ(Complementary Metal Oxide Semiconductor)センサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４とによる密着光学系を用いて画像の取り込みを行うことから、構造をシンプルにすることができ、且つ、筐体を小型化し、消費電力を低減することができる。なお、カラー画像を読み込む場合には、ＬＥＤ５２にＲ(赤)Ｇ(緑)Ｂ(青)の３色のＬＥＤ光源を組み合わせ、ラインセンサ５４としてＲＧＢ３色用の３列一組のセンサを用いればよい。第１面の画像の読み込みと同様に、１次元のラインセンサ５４によって主走査方向１ライン分を同時に処理した後、搬送される原稿における次の主走査方向の１ラインが読み込まれる。このようにして、搬送される原稿の裏面について、副走査方向に亘って１ページの原稿読み取りを行う。
【００２５】
また、ＣＩＳ５０による画像読み取りに際して、この読み取り部を構成する搬送路に、ＣＩＳ５０の筐体から延びる制御部材５５、制御部材５５によって押しつけられた原稿が突き当てられる突き当て部材６０を備えている。また、この突き当て部材６０の下流側にはガイド部材６１が設けられている。制御部材５５および突き当て部材６０は、原稿の搬送路に直交する方向(すなわち、原稿送り装置１０の前面から後面の方向)に、原稿送り装置１０の前面から後面まで、搬送路の位置に対応して設けられている。
【００２６】
さらに、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。このため、ＣＩＳ５０による読み取りに際しては、原稿の読み取り位置を所定の狭い範囲内に定めることが要求される。そこで、本実施の形態では、搬送路に面して制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の原稿の動きを示したものである。原稿が制御部材５５によって突き当て部材６０に押し当てられつつ搬送されていることが理解できる。すなわち、制御部材５５によって搬送される原稿を突き当て部材６０に押し当てられた状態で読み取ることで、被写界深度の深いＣＩＳ５０を用いた場合のピントの甘さを改善している。
【００２７】
次に、図１に示す処理装置８０について説明する。
図３は、処理装置８０を説明するためのブロック図である。本実施の形態が適用される処理装置８０は、大きく、センサ(ＣＣＤイメージセンサ７８およびラインセンサ５４)から得られた画像情報を処理する信号処理部８１と、原稿送り装置１０およびスキャナ装置７０を制御する制御部９０とを備えている。信号処理部８１は、原稿の表面(第１面)を読み取るＣＣＤイメージセンサ７８および裏面(第２面)を読み取るＣＩＳ５０のラインセンサ５４からの各々の出力に対して所定の画像処理を施す画像補正部としての機能を有している。この信号処理部８１は、ラインセンサ５４からの出力に対してアナログ信号の処理を行うＡＦＥ(Analog Front End)８２、アナログ信号をディジタル信号に変換するＡＤＣ(Analog Digital Converter)８３を有している。ただし、これらの機能は、ＣＩＳ５０の内部にて処理されるように構成することもできる。また、信号処理部８１は、ディジタル信号に対してシェーディング補正やオフセット補正等の各種処理を施す画像処理回路が２系統備えられており、表面(第１面)の画像データに対して画像処理を施す第１画像処理回路１００、裏面(第２面)の画像データに対して画像処理を施す第２画像処理回路２００を備えている。これらの画像処理回路からの出力は、例えばプリンタ等のＩＯＴ(Image Output Terminal)や、パーソナルコンピュータ(ＰＣ)等のホストシステムへ出力される。
【００２８】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン/オフなどを行いフルレートキャリッジ７３およびハーフレートキャリッジ７５によるスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。この読み取りモードとしては、前述のような、１パス(反転なし)による両面同時読み取りモード、反転パスによる反転両面読み取りモード、１パスによる片面読み取りモード等が考えられる。
【００２９】
次に、各画像処理回路(第１画像処理回路１００および第２画像処理回路２００)の機能および動作について説明する。
図４は、信号処理部８１の構成をさらに詳述したブロック図である。第１画像処理回路１００は、全体の制御を行う第１ＣＰＵ１０１、ＣＣＤイメージセンサ７８から出力された表面画像データに対してサンプルホールドやオフセット調整、Ａ/Ｄ変換等を行うＡＦＥ１０２、また、表裏の画像データを選択して出力するためのセレクタ(ＳＥＬ)１０３を備えている。さらに、シェーディング補正やライン補間(ＲＧＢの位置ずれ補間)等を実行するＡ集積回路(ＡＳＩＣ-Ａ)１１０、ＭＴＦフィルタや縮拡処理、２値化処理等を実行するＢ集積回路(ＡＳＩＣ-Ｂ)１３０を備えている。
【００３０】
一方、第２画像処理回路２００は、全体の制御を行う第２ＣＰＵ２０１、例えば工場出荷時の白基準シェーディングデータや、ＬＥＤ光量補正値を保存(格納)するフラッシュＲＯＭ(ＦＲＯＭ)２０２、ＣＩＳ５０から得られた裏面画像データに対して各種画像処理を施すＣ集積回路(ＡＳＩＣ-Ｃ)２１０、画像処理が施された裏面画像データを一旦保持し、所定の出力タイミングに合わせてセレクタ(ＳＥＬ)１０３へ出力するためのメモリ２０３を備えている。本実施の形態では、裏面読み取り用の密着型イメージセンサであるＣＩＳ５０で、工場出荷時に予め得られた白基準のシェーディングデータをフラッシュＲＯＭ(ＦＲＯＭ)２０２に保存している。
【００３１】
図５は、Ａ集積回路(ＡＳＩＣ-Ａ)１１０の構成を示したブロック図である。Ａ集積回路１１０は、ＣＣＤイメージセンサ７８におけるシェーディングデータを補正するためのシェーディング補正部１１１、ＲＧＢ３色のラインセンサの位置を補正するＧＡＰ補正部１１２、黒線を補正する黒線補正部１１３、入力階調補正をするＥＮＬ１１５、ＢＧＲ→Ｌ*,ａ*,ｂ*に変換する色空間変換部１１６を備えている。また、ＣＣＤイメージセンサ７８およびＡＦＥ１０２の駆動クロックを生成するタイミング生成部１１９、第１ＣＰＵ１０１との通信を行うＣＰＵインタフェース１２０を備えている。
【００３２】
図６は、Ｂ集積回路(ＡＳＩＣ-Ｂ)１３０の構成を示したブロック図である。Ｂ集積回路１３０は、ＭＴＦ補正や平滑化を行うディジタルフィルタ部１３１、原稿搬送方向である副走査方向に対して縮小処理を施す副走査縮小部１３２、原稿搬送方向に直交する方向であってＣＣＤイメージセンサ７８の走査方向である主走査方向に対する拡大縮小処理を施す主走査拡大縮小部１３３、読み取り原稿の下地を除去する下地除去部１３５、Ｌ*,ａ*,ｂ*→Ｙ,Ｍ,Ｃ,Ｋに色空間変換するルックアップテーブル(ＬＵＴ)１３６を備えている。また、読み取り原稿の下地を検知する下地検知部１３９、第１ＣＰＵ１０１との通信を行うＣＰＵインタフェース１４０を備えている。
【００３３】
図７は、Ｃ集積回路(ＡＳＩＣ-Ｃ)２１０の構成を示したブロック図である。Ｃ集積回路２１０は、Ｏｄｄ/Ｅｖｎからなる２チャンネルの出力信号の合成を行うマルチプレックス(ＭＰＸ Ｏ/Ｅ合成)回路２１１、シェーディングメモリ２２１に格納されたデータに基づいてシェーディング補正を施すシェーディング補正部２１２、入力階調補正を実行するＬ*変換部(ＬＵＴ)２１３、副走査方向に対して縮小処理を施す副走査縮小部２１４、主走査方向に対して拡大縮小処理を行う主走査拡大縮小部２１５、ＭＴＦ補正や平滑化を行うフィルタ部２１６、下地検知部２２２による下地検知結果に基づいて下地除去を行う下地除去部２１７、出力階調補正を行うルックアップテーブル(ＬＵＴ)２１８、２値化を行うＰａｃｋｉｎｇ誤差拡散処理部２１９を備えている。また、第２ＣＰＵ２０１との通信を行うＣＰＵインタフェース２２３を備えている。
【００３４】
ここで、本実施の形態では、原稿送り装置１０による原稿搬送によって画像を読み取る際、第２プラテンガラス７２Ｂを介してプラテンロール１９に搬送される原稿をスキャナ装置７０(ＣＣＤイメージセンサ７８)を用いて読み取ることが可能であると共に、原稿送り装置１０に設けられたＣＩＳ５０を用いて読み取ることが可能である。しかしながら、前述のように、スキャナ装置７０の機構を用いたＣＣＤイメージセンサ７８による読み取りと、ＣＩＳ５０のラインセンサ５４を用いた読み取りの場合とでは、その焦点深度の深さが異なり、解像特性に差が生じてしまう。特に、写真等のカラー画像を読み込む場合には、両者の読み込みにて色合わせが困難となり、両者の読み込みにて得られる画質が異なってしまう。そこで、本実施の形態では、複数の読み取りモードを準備し、装置の設定状態、原稿の種類、ユーザの選択等に基づいて、最適なモードの選択を可能としている。
【００３５】
図８は、図３に示す画像読み取りコントロール９１によって実行される処理の一例を示したフローチャートである。画像読み取りコントロール９１では、まず、搬送される原稿が片面原稿であるか否かが判断される(ステップ１０１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１０１で片面原稿であると判断される場合には、１パス(反転パスを用いない１回だけの原稿搬送パス)による片面読み取りが行われる(ステップ１０２)。この１パスによる片面読み取りでは、ＣＣＤイメージセンサ７８による読み取りあるいはＣＩＳ５０による読み取りのどちらを選択してもよいが、より高画質の画像読み取りを実現する場合には、ＣＣＤイメージセンサ７８による読み取りを選択することが好ましい。かかる際には、原稿トレイ１１上に、上向きに原稿の面が存在すると共に原稿の１ページ目が来るように載置し、この１ページ目から原稿を搬送して順に読み取りが行われる。
【００３６】
ここで、ステップ１０１で片面原稿ではない場合、すなわち、両面原稿である場合には、原稿が白黒原稿であるか否かが判断される(ステップ１０３)。このステップ１０３の判断は、ステップ１０１と同様に、ユーザからの選択または自動選択読み取り機能によって判断される。カラー原稿であってもユーザが白黒読み取りを望む場合もある。白黒読み取りを行わない場合、すなわち、カラー読み取りを行う場合には、画質が重視されるか否かが判断される(ステップ１０４)。例えばカラー写真やパンフレット等のカラー画像の場合には、一般に、読み取り速度を上げる生産性よりも画質が重視される。かかる判断もユーザの設定等によってなされる。このステップ１０４で画質を重視すると判断される場合には、第１の両面読み取りモードである、反転パスによる両面読み取りが実行される(ステップ１０５)。すなわち、ＣＩＳ５０による読み取りを行わず、原稿の第１面およびこの原稿の第２面を第１のセンサであるＣＣＤイメージセンサ７８によって読み取るのである。これによって、原稿の第１面および原稿の第２面に対し、共に、焦点深度の深い読み取り手段を用いた高画質な両面読み取りが可能になる。
【００３７】
一方、ステップ１０３で白黒読み取りを行う場合、または、ステップ１０４でカラー画像出力を必要とする場合であっても、例えばビジネスカラーなど微妙な色合い等が重視されない場合や、プラス１カラーの場合(黒以外に赤や青等、１色のカラーを含む場合)など、画質をあまり重視せず、生産性等の他の要因が重視される場合には、第２の両面読み取りモードである、反転パスを用いない、１パスによる両面同時読み取りが行われる(ステップ１０６)。すなわち、第１のセンサであるＣＣＤイメージセンサ７８によって原稿の第１面を読み取り、この読み取りの搬送パスに際して、同じ搬送パスにてＣＩＳ５０による原稿の第２面の読み取りが行われる。これによって、同一の読み取り部へ原稿を二度搬送する必要がなくなり、原稿読み取りスピードを向上させることができると共に、搬送パスが簡素化されることで、原稿詰まり(ＪＡＭ)等の原稿搬送トラブルを抑制することができる。なお、前述したように、「同時読み取り」とは、必ずしも時間的に位置する場合を意味するものではなく、両面を１回の搬送パスにてほぼ同時期に読み取るという意味である。
【００３８】
なお、図８に示すフローを簡略化し、両面原稿読み取り時において、白黒原稿の読み取りの場合には、ステップ１０６の両面同時読み取りを実行し、カラー原稿の場合には、ステップ１０５の反転パスによって順次原稿を読み取るように構成することも可能である。また、原稿面の種類に応じて、これらのモードをミックスして用いることも可能である。
【００３９】
次に、各原稿読み取りモードにおける原稿の搬送方法について、図９および図１０を用いて説明する。
図９(ａ)(ｂ)は、図８のステップ１０２に示した１パスによる片面読み取りモードと、ステップ１０６に示した１パスによる両面同時読み取りである第２の両面読み取りモードの原稿パスを示した図である。図９(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図９(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００４０】
図１０(ａ)〜(ｄ)は、図８のステップ１０５に示した反転パスによる両面読み取り、即ち、第１の両面読み取りモードを説明するための図である。図１０(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図１０(ｂ)に示すように、インバータロール２２およびインバータピンチロール２３によってスイッチバックし、出口切替ゲート４３によって第５搬送路３５に供給される。
【００４１】
第５搬送路３５に供給された原稿は、再度、第１搬送路３１に供給される。そして、図１０(ｃ)に示すように、原稿がスキャナ装置７０のＣＣＤイメージセンサ７８によって下方から読み取られる。このとき、原稿は、図１０(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図１０(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図１０(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００４２】
このように、本実施の形態では、第１のセンサであるＣＣＤイメージセンサ７８を用いて原稿の片面(第１面)を読み取った後、原稿を反転させて他の片面(第２面)をこの第１のセンサで順次、読み取る第１の両面読み取りモードと、この第１のセンサと共に、第１のセンサとは搬送路を介して対向する他方の側に設けられる第２のセンサであるＣＩＳ５０を用いて、原稿を一度の搬送で表裏両面(第１面および第２面)を読み取る第２の両面読み取りモードを準備した。そして、これらのモードを、必要に応じ、自動的に、またはユーザの指定等に基づいて、選択可能に構成した。これによって、例えば、白黒の出力かカラーの出力か、スピード(生産性)を重視するのか、画質を重視するのか等の用途に応じて、両面読み取りモードを適切に選択し、これらのモードを利用することができる。
【００４３】
図１１(ａ)〜(ｃ)は、上述した第２の両面読み取りモード(１パスによる両面同時読み取りモード)における原稿の搬送状態と原稿の読み取りとを説明するための図である。なお、これらの図においては、簡略化のために搬送路を略直線状としている。
図１１(ａ)は、搬送される原稿の表面(第１面)をＣＣＤイメージセンサ７８(図１参照)で、原稿の裏面(第２面)をラインセンサ５４で読み取っている状態を示している。本実施の形態では、上述したように原稿の表面が照明ランプ７４によって照射されており、原稿からの反射光が第１ミラー７６Ａ等を介してＣＣＤイメージセンサ７８に入力される。一方、原稿の裏面はＬＥＤ５２によって照射されており、原稿からの反射光がセルフォックレンズ５３等を介してラインセンサ５４に入力される。
【００４４】
また、図１１(ｂ)は、ＣＣＤイメージセンサ７８による原稿の表面の読み取り動作が終了し、ＣＩＳ５０による原稿の裏面の読み取り動作が引き続き行われている状態、つまり、搬送される原稿の後端がＣＣＤイメージセンサ７８による読み取り位置を抜けた状態を示している。本実施の形態では、原稿の後端がＣＣＤイメージセンサ７８による読み取り位置を抜けた後も、図に示すように照明ランプ７４が点灯しており、搬送路に向けて光が照射されている。一方、原稿の裏面は引き続きＬＥＤ５２によって照射され、原稿からの反射光がセルフォックレンズ５３等を介してラインセンサ５４に入力される。
【００４５】
本実施の形態では、ＣＣＤイメージセンサ７８による原稿表面の読み取り位置とＣＩＳ５０による原稿裏面の読み取り位置とが原稿の搬送方向に対してずれて配置されており、その距離Ｘは３０ｍｍ程度である。このため、図１１(ｂ)に示す状態、すなわち、搬送される原稿の後端が第１のセンサとしてのＣＣＤイメージセンサ７８による原稿の読み取り位置を抜けた直後の状態では、照明ランプ７４から照射された光がラインセンサ５４に回り込んでしまうおそれがある。このような光の回り込みが原稿裏面の読み取りを行っている間に生じると、ラインセンサ５４による受光量が増大し、図１２(ａ)に示すように、原稿裏面のうち原稿先端側の領域Ａと、原稿後端から距離Ｘまでの領域Ｂとで画像データの濃度に違いが生じ、領域Ｂが濃度の薄い画像となってしまう。
【００４６】
そこで、本実施の形態では、原稿の搬送位置に応じて、ラインセンサ５４に入力された画像データを図３に示す信号処理部８１(具体的には第２画像処理回路２００)で補正し、照明ランプ７４から回り込む光による影響を取り除いている。具体的には、原稿の後端がＣＣＤイメージセンサ７８による読み取り位置を通過する前と後つまり原稿の先端側(領域Ａ)と後端側(領域Ｂ)とで、図４に示す第２ＣＰＵ２０１からの命令に基づいてＣ集積回路２１０におけるＬ*変換部２１３のＬＵＴ(補正値)を切り替え、画像データの基準となる濃度が略一定となるように調整している。ここで、原稿の後端がＣＣＤイメージセンサ７８による読み取り位置を通過したか否かは、例えばレジロール１８が回転を開始(原稿搬送を開始)してからの経過時間に基づいて判断することができる。レジロール１８による原稿の搬送開始タイミングからＣＣＤイメージセンサ７８による読み取り位置を原稿の後端が通過するタイミングを推定するには、原稿の搬送方向長さＹが必要となるが、これは、例えばユーザからの入力や図示しないサイズ検知センサ等からの出力に基づいて決定することができる。
【００４７】
一方、図１１(ｃ)は、原稿の先端がＣＣＤイメージセンサ７８による読み取り位置に突入する直前の状態を示している。本実施の形態では、原稿の先端がＣＣＤイメージセンサ７８による読み取り位置に突入する前から、図に示すようにＬＥＤ５２が点灯しており、搬送路に向けて光が照射されている。このため、ＬＥＤ５２から照射された光がＣＣＤイメージセンサ７８に回り込んでしまうおそれがある。このような光の回り込みが原稿表面の読み取りを行っている間に生じると、ＣＣＤイメージセンサ７８による受光量が増大し、図１２(ｂ)に示すように、原稿表面のうち原稿先端側の原稿先端から距離Ｘまでの領域Ｃと、原稿後端側の領域Ｄとで画像データの濃度に違いが生じ、領域Ｃが濃度の薄い画像となってしまう。
【００４８】
そこで、本実施の形態では、原稿裏面の場合と同様、原稿の搬送状態に応じて、ＣＣＤイメージセンサ７８に入力された画像データを図３に示す信号処理部８１(具体的には第１画像処理回路１００)で補正し、ＬＥＤ５２から回り込む光による影響を取り除いている。具体的には、原稿の先端がラインセンサ５４による読み取り位置を通過する前と後つまり領域Ｃと領域Ｄとで、図４に示す第１ＣＰＵ１０１からの命令に基づいてＡ集積回路１１０におけるＥＮＬ１１５における入力階調補正の係数を切り換え、画像データの基準となる濃度が略一定となるように調整している。ここで、原稿の先端がラインセンサ５４による読み取り位置を通過したか否かは、例えばレジロール１８が回転を開始(原稿搬送を開始)してからの経過時間に基づいて判断することができる。
【００４９】
本実施の形態では、照明ランプ７４、ＬＥＤ５２およびＣＣＤイメージセンサ７８、ラインセンサ５４の位置関係から、光源の影響を受けやすい領域および受けにくい領域の位置情報を事前に得るようにした。そして、これに基づき、両領域に対してそれぞれ適切な画像処理を施すことで、同一原稿(同一面)内における濃度差を補正するようにしたので、原稿の搬送方向に対して濃度むらのない画像を得ることができる。
また、本実施の形態では、原稿の先端がＣＣＤイメージセンサ７８による読み取り位置に到達する前からＬＥＤ５２を点灯させ、また、原稿の後端がラインセンサ５４による読み取り位置を通過するまで照明ランプ７４を点灯させているので、電源電圧の変動等が生じにくく、これら光源の光量が安定するという利点もある。
【００５０】
なお、本実施の形態では、原稿表面用の読み取りセンサとしてＣＣＤイメージセンサ７８、原稿裏面用の読み取りセンサとしてラインセンサ５４と、異なるタイプのものを用いていたが、これに限られるものではなく、同種の読み取りセンサを用いるようにしてもよい。また、本実施の形態では、原稿表面用の光源として照明ランプ７４、原稿裏面用の光源としてＬＥＤ５２と、異なるタイプのものを用いていたが、これに限られるものではなく、同種の光源を用いるようにしてもよい。さらに、本実施の形態では、入力階調補正を用いて画像データの濃度補正を行っていたが、これに限られるものではなく、他の補正手法を採用しても差し支えない。
【図面の簡単な説明】
【００５１】
【図１】本実施の形態が適用される画像読み取り装置を示した図である。
【図２】ＣＩＳを用いた読み取り構造を説明するための図である。
【図３】処理装置を説明するためのブロック図である。
【図４】信号処理部の構成を詳述したブロック図である。
【図５】Ａ集積回路(ＡＳＩＣ-Ａ)の構成を示したブロック図である。
【図６】Ｂ集積回路(ＡＳＩＣ-Ｂ)の構成を示したブロック図である。
【図７】Ｃ集積回路(ＡＳＩＣ-Ｃ)の構成を示したブロック図である。
【図８】画像読み取りコントロールによって実行される処理の一例を示したフローチャートである。
【図９】(ａ),(ｂ)は、１パスによる片面読み取りモードと、１パスによる両面同時読み取りである第２の両面読み取りモードの原稿パスを説明するための図である。
【図１０】(ａ)〜(ｄ)は、反転パスによる両面読み取りである第１の両面読み取りモードを説明するための図である。
【図１１】(ａ)〜(ｃ)は、第２の両面読み取りモードにおける問題点を説明するための図である。
【図１２】(ａ)は原稿表面の画像データ、(ｂ)は原稿裏面の画像データを説明する図である。
【符号の説明】
【００５２】
１０…原稿送り装置、１１…原稿トレイ、１３…ナジャーロール、１９…プラテンロール、３１…第１搬送路、５０…ＣＩＳ(Contact Image Sensor)、５２…ＬＥＤ、５４…ラインセンサ、６０…突き当て部材、７０…スキャナ装置、７２Ｂ…第２プラテンガラス、７８…ＣＣＤ(Charge Coupled Device)イメージセンサ、８０…処理装置、８１…信号処理部、９０…制御部、１００…第１画像処理回路、１０１…第１ＣＰＵ、１１０…Ａ集積回路(ＡＳＩＣ-Ａ)、１１１…シェーディング補正部、１１２…ＧＡＰ補正部、１１３…黒線補正部、１１５…ＥＮＬ、１１９…タイミング生成部、１３０…Ｂ集積回路(ＡＳＩＣ-Ｂ)、２００…第２画像処理回路、２０１…第２ＣＰＵ、２０２…フラッシュＲＯＭ(ＦＲＯＭ)、２１０…Ｃ集積回路(ＡＳＩＣ-Ｃ)、２１１…マルチプレックス(ＭＰＸＯ/Ｅ合成)回路、２１２…シェーディング補正部、２１３…Ｌ*変換(ＬＵＴ)部、２１４…副走査縮小部、２１５…主走査拡大縮小部、２１６…フィルタ部、２１７…下地除去部、２１８…ルックアップテーブル(ＬＵＴ)、２１９…Ｐａｃｋｉｎｇ誤差拡散処理部、２２１…シェーディングメモリ、２２２…下地検知部
【図１】
2005110174.tif 000003
【図２】
2005110174.tif 000004
【図３】
2005110174.tif 000005
【図４】
2005110174.tif 000006
【図５】
2005110174.tif 000007
【図６】
2005110174.tif 000008
【図７】
2005110174.tif 000009
【図８】
2005110174.tif 000010
【図９】
2005110174.tif 000011
【図１０】
2005110174.tif 000012
【図１１】
2005110174.tif 000013
【図１２】
2005110174.tif 000014